(57)【要約】【課題】  ケーブル等の配線・配管材の外周面保護や安定支持等を効果的に行うことができる配線・配管材の支持具の提供。【解決手段】  配線・配管材の支持具は、建物壁等の被取着体に取着される取着部１０と、取着部１０に取付けられ、被取着体に配線・配管材を支持させるべく、取着部１０から延出される支持線材２０とを備える。支持線材２０は、屈曲自在な直状の金属線材２１を複数本並設した状態で、軟質合成樹脂材料により各金属線材２１の外周を被覆すると共に複数本の金属線材２１間を連結して一体化することにより、金属線材２１の並設方向に幅広となる帯状体として構成される。【選択図】  図１
2006194387.tif 000002
【特許請求の範囲】
【請求項１】
建物壁等の被取着体に取着される取着部と、前記取着部に取付けられ、前記被取着体に配線・配管材を支持させるべく、前記取着部から延出される支持線材とを備える配線・配管材の支持具であって、
前記支持線材は、屈曲自在な直状の金属線材を複数本並設した状態で、軟質合成樹脂材料により前記各金属線材の外周を被覆すると共に前記複数本の金属線材間を連結して一体化することにより、前記金属線材の並設方向に幅広となる帯状体として構成されることを特徴とする配線・配管材の支持具。
【請求項２】
前記支持線材は、前記複数本の金属線材を間隔をおいて平行に並設した状態で前記軟質合成樹脂材料により被覆することにより前記帯状体として構成され、前記軟質合成樹脂材料の被覆は、前記各金属線材の外周を被覆する線材被覆部と、前記線材被覆部間を連結する薄肉に形成された帯状の薄肉連結部とを有し、
前記薄肉連結部は、隣合う前記金属線材間の間隔を縮めるよう変形した際、前記金属線材の塑性変形を維持するように湾曲または屈曲することにより、当該縮められた金属線材間の間隔を維持して前記帯状体の適宜箇所に幅狭部を形成可能であることを特徴とする請求項１記載の配線・配管材の支持具。
【請求項３】
前記支持線材を構成する前記帯状体の厚さ方向両側面のうちの少なくとも一方は平坦面で形成されることを特徴とする請求項１または２記載の配線・配管材の支持具。
【請求項４】
前記支持線材は、２本の金属線材を並設したものであることを特徴とする請求項１乃至３のいずれか１項記載の配線・配管材の支持具。
【請求項５】
前記支持線材は、前記金属線材を複数本並設した状態で、前記軟質合成樹脂材料による被覆を前記金属線材の並設方向に一定肉厚で形成し、厚さ方向両側面を平坦面とした一定肉厚の帯状体として構成されることを特徴とする請求項１記載の配線・配管材の支持具。
【請求項６】
前記支持線材は、前記複数本の金属線材を間隔をおいて平行に並設した状態で前記軟質合成樹脂材料により被覆することにより前記帯状体として構成され、前記軟質合成樹脂材料の被覆は、前記各金属線材の外周を被覆する線材被覆部と、前記線材被覆部間を連結する薄肉に形成された帯状の薄肉連結部とを有し、前記線材被覆部を厚さ方向一側にのみ突出させることにより、厚さ方向他側面を平坦面とした帯状体として構成されることを特徴とする請求項１記載の配線・配管材の支持具。
【請求項７】
前記被覆は、更に、前記薄肉連結部と同一の肉厚で、最も外側の前記線材被覆部より更に外側に延設して一体形成される一対の薄肉の帯状部を有することを特徴とする請求項２または６記載の配線・配管材の支持具。
【請求項８】
前記帯状体としての支持線材は、前記軟質合成樹脂材料の帯状の被覆において、隣合う前記金属線材間の幅方向略中央に切断溝を形成し、前記切断溝部分で複数の幅狭な帯状体に分割可能であることを特徴とする請求項１乃至７のいずれか１項記載の配線・配管材の支持具。
【発明の詳細な説明】
【技術分野】
【０００１】
本発明は、線材を使用して配線や配管材を支持する配線・配管材の支持具に関する。
【背景技術】
【０００２】
従来、この種の技術として、例えば、特許文献１に記載の技術がある。
【特許文献１】特開２００４−３２０９８７号公報
【０００３】
特許文献１には、凹凸のある取付面や曲面からなる取付面等の非平坦面を有する取付面にも容易かつ円滑に取付けて強固に固定することができる配線・配管材支持具が開示されている。この配線・配管材支持具は、天井面等の取付面に当接する当接面を有する固定部と、固定部に設けられて配線や配管材を支持自在な支持部とを備える。固定部は、取付面の凹凸面や曲面等の非平坦面に対応して追従すべく、可撓溝を介して屈曲または湾曲自在である。また、支持部は、例えば、紐状素材、長尺状素材、線状素材乃至線材からなり、配線や配管材を結束して吊下支持するようになっている。
【発明の開示】
【発明が解決しようとする課題】
【０００４】
ここで、特許文献１に記載の技術には、線状素材からなる支持部についての詳細な説明はないが、従来、配線・配管材の支持具に使用される配線・配管材支持用の線状素材乃至バインド線は、１本の金属線材（芯線）の外周を軟質塩化ビニル樹脂等の軟質合成樹脂材料により被覆したものである。具体的には、最終製品としてのバインド線としては、１本の芯線の外周面を単純に均一厚さで樹脂被覆して、バインド線の断面を前記芯線に対応する単純な断面円形状とした円形被覆バインド線や、樹脂被覆時に、円形の樹脂被覆部分の両側に薄肉の帯状片を一体形成した帯状被覆バインド線がある。しかし、これらのバインド線を支持部乃至支持線材として使用した従来の配線・配管材の支持具では、円形被覆バインド線及び帯状被覆バインド線のいずれを使用した場合も、例えば、バインド線からなる支持線材によりケーブルを結束して吊下支持等するときに、前記ケーブルの軟質樹脂被覆の外周面に前記芯線部分が食い込む可能性がある。即ち、前記バインド線の芯線部分の１点が突起状となり、ケーブルの結束時の圧力が、その１点の突起部分でのみケーブルの被覆外周面に伝わり、その１点に圧力が集中して、突起部分乃至芯線部分がケーブルの被覆外周面に食い込む可能性がある。よって、ケーブル等の配線や配管材の外周面保護等のために、配線・配管材の支持具の特に支持線材についての改善が望まれる。一方、従来のバインド線からなる支持線材を使用した配線・配管材の支持具では、支持線材により配線・配管材を結束支持するときに、結束部分で互いに捩じり合わされた支持線材の一端側部分と他端側部分との外周面間に隙間が生じ、支持線材の一端側部分が他端側部分から抜けてしまい、結束が解除されてしまう可能性がある。よって、ケーブル等の配線や配管材の安定支持等のためにも、配線・配管材の支持具の特に支持線材についての改善が望まれる。
【０００５】
そこで、本発明は、ケーブル等の配線・配管材の外周面保護や安定支持等を効果的に行うことができる配線・配管材の支持具の提供を課題とする。
【課題を解決するための手段】
【０００６】
請求項１に係る配線・配管材の支持具は、建物壁等の被取着体に取着される取着部と、前記取着部に取付けられ、前記被取着体に配線・配管材を支持させるべく、前記取着部から延出される支持線材とを備える配線・配管材の支持具であって、前記支持線材は、屈曲自在な直状の金属線材を複数本並設した状態で、軟質合成樹脂材料により前記各金属線材の外周を被覆すると共に前記複数本の金属線材間を連結して一体化することにより、前記金属線材の並設方向に幅広となる帯状体として構成される。
【０００７】
請求項２に係る配線・配管材の支持具は、請求項１の構成において、前記支持線材が、前記複数本の金属線材を間隔をおいて平行に並設した状態で前記軟質合成樹脂材料により被覆することにより前記帯状体として構成され、前記軟質合成樹脂材料の被覆は、前記各金属線材の外周を被覆する線材被覆部と、前記線材被覆部間を連結する薄肉に形成された帯状の薄肉連結部とを有し、前記薄肉連結部は、隣合う前記金属線材間の間隔を縮めるよう変形した際、前記金属線材の塑性変形を維持するように湾曲または屈曲することにより、当該縮められた金属線材間の間隔を維持して前記帯状体の適宜箇所に幅狭部を形成可能である。
【０００８】
請求項３に係る配線・配管材の支持具は、請求項１または２の構成において、前記支持線材を構成する前記帯状体の厚さ方向両側面のうちの少なくとも一方が平坦面で形成される。
【０００９】
請求項４に係る配線・配管材の支持具は、請求項１乃至３のいずれかの構成において、前記支持線材が、２本の金属線材を並設している。
【００１０】
請求項５に係る配線・配管材の支持具は、請求項１の構成において、前記支持線材が、前記金属線材を複数本並設した状態で、前記軟質合成樹脂材料による被覆を前記金属線材の並設方向に一定肉厚で形成し、厚さ方向両側面を平坦面とした一定肉厚の帯状体として構成される。
【００１１】
請求項６に係る配線・配管材の支持具は、請求項１の構成において、前記支持線材が、前記複数本の金属線材を間隔をおいて平行に並設した状態で前記軟質合成樹脂材料により被覆することにより前記帯状体として構成され、前記軟質合成樹脂材料の被覆は、前記各金属線材の外周を被覆する線材被覆部と、前記線材被覆部間を連結する薄肉に形成された帯状の薄肉連結部とを有し、前記線材被覆部を厚さ方向一側にのみ突出させることにより、厚さ方向他側面を平坦面とした帯状体として構成される。
【００１２】
請求項７に係る配線・配管材の支持具は、請求項２または６の構成において、前記被覆が、更に、前記薄肉連結部と同一の肉厚で、最も外側の前記線材被覆部より更に外側に延設して一体形成される一対の薄肉の帯状部を有する。
【００１３】
請求項８に係る配線・配管材の支持具は、請求項１乃至７のいずれかの構成において、前記帯状体としての支持線材が、前記軟質合成樹脂材料の帯状の被覆において、隣合う前記金属線材間の幅方向略中央に切断溝を形成し、前記切断溝部分で複数の幅狭な帯状体に分割可能である。
【発明の効果】
【００１４】
請求項１に係る配線・配管材の支持具は、ケーブル等の配線・配管材の外周面保護や安定支持等を効果的に行うことができる。
【００１５】
請求項２に係る配線・配管材の支持具は、請求項１の効果に加え、配線や配管材の支持時に、薄肉連結部により、支持線材を確実に結束して緩みを効果的に防止することができる。
【００１６】
請求項３に係る配線・配管材の支持具は、請求項１または２の効果に加え、特に軟質表面を有する配線や配管材の支持時に、支持線材の平坦面を配線や配管材の表面に当接するよう結束することにより、支持線材が配線や配管材の表面に食い込むことをなくすことができる。
【００１７】
請求項４に係る配線・配管材の支持具は、請求項１乃至３のいずれかの効果に加え、最も少ない本数の金属線材で、ケーブル等の配線・配管材の外周面保護や安定支持等を効果的に行うことができる。
【００１８】
請求項５に係る配線・配管材の支持具は、請求項１の効果に加え、特に軟質表面を有する配線や配管材の支持時に、支持線材のいずれの面を配線や配管材の表面に当接するよう結束した場合でも、支持線材が配線や配管材の表面に食い込むことをなくすことができる。
【００１９】
請求項６に係る配線・配管材の支持具は、請求項１の効果に加え、配線や配管材の支持時に、薄肉連結部により、支持線材を確実に結束して緩みを効果的に防止することができる。また、請求項６に係る配線・配管材の支持具は、特に軟質表面を有する配線や配管材の支持時に、支持線材の平坦面を配線や配管材の表面に当接するよう結束することにより、支持線材が配線や配管材の表面に食い込むことをなくすことができる。
【００２０】
請求項７に係る配線・配管材の支持具は、請求項２または６の効果に加え、配線や配管材の支持時に支持線材を捻り合わせて結束したときに、被覆の幅方向両端部に配置される一対の帯状部が、その絡み合い状態をより強化するため、被覆の薄肉連結部と帯状部とが協働して、配線や配管材の支持時に、支持線材を確実に結束して緩みを一層効果的に防止することができる。
【００２１】
請求項８に係る配線・配管材の支持具は、請求項１乃至７のいずれかの効果に加え、例えば、現場施工時に、切断溝で分割して使用することができ、配線や配管材の結束作業を必要に応じて柔軟な態様で行うことができる。
【発明を実施するための最良の形態】
【００２２】
以下、本発明を実施するための最良の形態（以下、実施の形態という）を説明する。なお、各実施の形態を通じ、同一の部材、要素または部分には同一の符号を付して、その説明を省略する。
【００２３】
実施の形態１
図１は本発明の実施の形態１に係る配線・配管材の支持具を示す斜視図である。図２は本発明の実施の形態１に係る配線・配管材の支持具を示す正面図である。図３は本発明の実施の形態１に係る配線・配管材の支持具の取着部を示す平面図である。図４は本発明の実施の形態１に係る配線・配管材の支持具の支持線材の一部を示す斜視図である。
【００２４】
実施の形態１に係る配線・配管材の支持具は、図１〜図３に示すように、建物壁や天井等の被取着体の被取着面（壁面、天井面等）に取着される取着部１０と、取着部１０に取付けられ、被取着体に配線・配管材を支持させるべく、取着部１０から延出される支持線材２０とを備える。取着部１０は、例えば、図１〜図３に示すような円盤状のものとすることができるが、これに限定されるものではなく、支持線材２０を取付可能な限りにおいて、任意の構成とすることができる。図１〜図３に示す円盤状の取着部１０は、例えば、鉄製であり、表面にメッキ処理を施したものであり、デッキプレート用に使用されるものである。また、取着部１０の中央には、２個の短いスリット状の取付孔１１が穿設されている。更に、取着部１０の下面には、両面テープ１２がその一側面（上面）を接着することで固着されている。一方、取着部１０の上面には、一対の直線突起状のリブ１３ａが、前記取付孔１１と平行な直径方向に延びるよう一体形成されている。また、取着部１０の上面には、別の一対の直線突起状のリブ１３ｂが、前記取付孔１１と直交する直径方向、即ち、前記一対のリブ１３ａと直交する方向に延びるよう一体形成されている。そして、施工時には、デッキプレートの凹部乃至溝部の所定箇所に形成した透孔（下穴）に支持線材２０を差し込んで挿通し、取付部１０の下面の両面テープ１２の他側面（下面）側の粘着面を被取着面としてのデッキプレートの上面に押圧して接着することにより、取着部１０を介して配線・配管材の支持具を被取着体としてのデッキプレートに取着できるようになっている。このとき、前記リブ１３ａの延設方向を配線・配管材の配線・配管方向に一致させることにより、支持線材２０の幅方向を配線・配管方向と容易に一致させることができるようになっている。なお、この後、デッキプレートにはコンクリートが打設されてスラブが形成される。このとき、配線・配管材支持具は、このスラブ（デッキプレート）下面から下方に延出する支持線材２０を使用して、所定の配線や配管材を結束固定して支持するようになっている。また、このとき、上記のように、支持線材２０の幅方向を配線・配管方向と一致させることができるため、支持線材２０により配線・配管材を円滑に支持することができる。
【００２５】
図４に示すように、配線・配管材の支持具の支持線材２０は、屈曲自在な直状の金属線材２１を複数本並設した状態で、軟質合成樹脂材料により各金属線材２１の外周を被覆すると共に複数本の金属線材２１間を連結して一体化することにより、金属線材２１の並設方向に幅広となる帯状体として構成される。詳細には、実施の形態１に係る配線・配管材の支持具の支持線材２０は、２本の金属線材２１を間隔をおいて互いに平行に並設した状態で、軟質合成樹脂材料による被覆２２を金属線材２１の並設方向に一定肉厚で形成し、厚さ方向両側面を平坦面とした一定肉厚の帯状体として構成される。なお、被覆２２の肉厚は、金属線材２１の直径より若干大きい程度で、例えば、約０．５未満または約１ｍｍ未満と極薄である。ここで、金属線材２１は、例えば、電気用軟銅線等の銅線、鉄線等により任意の位置で屈曲または湾曲自在な直状に形成したものであり、帯状体である支持線材２０の被覆２２の全長にわたって、被覆２２の長さ方向に延びるよう埋設される。なお、金属線材２１の直径は、例えば、１ｍｍ以下とすることができる。そして、支持線材２０を任意の位置で湾曲または屈曲すると、金属線材２１がその位置で湾曲または屈曲し、支持線材２０をその位置で湾曲または屈曲状態に保持するようになっている。また、被覆２２を形成する軟質合成樹脂材料は、例えば、軟質ＰＶＣ（ポリ塩化ビニル）樹脂材料、軟質ＰＥ（ポリエチレン）樹脂材料等とすることができる。ここで、支持線材２０は、一端を取着部１０の一方の取付孔１１から挿通して折り返し、他方の取付孔１１に挿通することにより、取着部１０に取付けるようになっている。なお、支持線材２０の全長は、例えば、約４０ｃｍとし、取着部１０に取付けて折り返した状態で、全長約２０ｃｍとなるようにすることもできる。
【００２６】
図５は本発明の実施の形態１に係る配線・配管材の支持具の支持線材によりケーブルを結束支持したときのケーブル外周面に対する支持線材の当接状態を従来例と比較して示す説明図である。
実施の形態１に係る配線・配管材の支持具は、両面テープ１２により取着部１０を被取着体に取着し、被取着体の配線経路または配管経路に沿って配設した配線または配管材を、支持線材２０により結束して支持する。例えば、図５に示すように、実施の形態１に係る配線・配管材の支持具により軟質樹脂を被覆したケーブルＣを結束支持する場合、支持線材２０をケーブルＣの被覆外周面に巻き付けて結束することにより、支持線材２０を介してケーブルＣを吊下支持等し、所定位置に保持することができる。このとき、支持線材２０は、厚さ方向両側面が平坦面であるため、いずれの側面をケーブルＣの軟質樹脂被覆の外周面（表面）に巻き付けた場合でも、平坦面でケーブルＣの軟質樹脂被覆の表面に面状に当接することになる。一方、従来例について対比説明すると、従来の円形被覆バインド線１の場合、バインド線１の芯線２部分の１点の被覆部分が突起状の突起部３となり、ケーブルＣの結束時の圧力が、その１点の突起部３でのみケーブルＣの被覆外周面に伝わり、その１点に圧力が集中して、突起部３がケーブルＣの被覆外周面に食い込む可能性がある。また、従来の帯状被覆バインド線５の場合も、同様に、バインド線５の芯線６部分の１点の被覆部分が突起状の突起部７となり、ケーブルＣの結束時の圧力が、その１点の突起部７でのみケーブルＣの被覆外周面に伝わり、その１点に圧力が集中して、突起部７がケーブルＣの被覆外周面に食い込む可能性がある。これに対し、実施の形態１に係る配線・配管材の支持具では、支持線材２０に突起部は存在せず、支持線材２０は必ず平坦面でケーブルＣの被覆外周面に面的に当接するため、かかる不具合が発生する可能性はない。
【００２７】
なお、実施の形態１に係る配線・配管材の支持具は、支持線材２０をケーブルＣの被覆外周面に巻き付けた後、支持線材２０の一端側部分と他端側部分とを互いに捩じり合わせて解けないよう結合することにより、支持線材２０を介してケーブルＣを結束支持する。このように、実施の形態１に係る配線・配管材の支持具は、ケーブルＣ等の配線・配管材の外周面保護や安定支持等を効果的に行うことができる。
【００２８】
実施の形態２
図６は本発明の実施の形態２に係る配線・配管材の支持具による配線・配管材の支持状態を示す斜視図である。
実施の形態２に係る配線・配管材の支持具は、図６に示すように、取着部５０の構成において実施の形態１に係る配線・配管材の支持具と異なる。具体的には、実施の形態２に係る配線・配管材の支持具の取着部５０は、矩形平板状をなし、その下面中央に、支持線材２０取付用の取付部５５を一体形成している。取付部５５は、取着部５０の下面との間に支持線材２０を挿通するための挿通孔を形成するよう、略Ｕ字状等の形状に形成されている。即ち、実施の形態２は、本発明に係る配線・配管材の支持具が、支持線材２０を有するタイプのものである限りにおいて、任意の構成の取着部を有するものとして具体化できることを示すためのものである。実施の形態２に係る配線・配管材の支持具は、実施の形態１と同様、取着部５０の上面をホットメルト接着剤や両面テープ等により、例えば、二重天井を吊る前の先行配線・配管時において、天井面等の被取着面に接着して固定し、支持線材２０により配管材Ｐ等を吊下等して支持するようになっている。
【００２９】
実施の形態３
図７は本発明の実施の形態３に係る配線・配管材の支持具の支持線材の一部を示す斜視図である。
実施の形態３に係る配線・配管材の支持具は、図７及び図８に示すように、支持線材１２０の構成において実施の形態１に係る配線・配管材の支持具と異なる。具体的には、実施の形態３に係る配線・配管材の支持具の支持線材１２０は、実施の形態１と同様、前記金属線材２１を並設した状態で、軟質合成樹脂材料により各金属線材２１の外周を被覆すると共に複数本の金属線材２１間を連結して一体化することにより、金属線材２１の並設方向に幅広となる帯状体として構成される。一方、実施の形態３に係る配線・配管材の支持具の支持線材１２０は、２本の金属線材２１を互いに平行に並設した状態で、軟質合成樹脂材料による被覆１２２中に埋設して配置している。詳細には、軟質合成樹脂材料の被覆１２２は、実施の形態１と同様の軟質合成樹脂材料からなり、各金属線材２１の外周を被覆する線材被覆部１２２ａと、線材被覆部１２２ａ間を連結する薄肉に形成された帯状の薄肉連結部１２２ｂとを有している。線材被覆部１２２ａは、金属線材２１の断面形状に対応して、帯状体からなる支持線材１２０の厚さ方向両側面から、それぞれ、極小の略半円形状に突出している。また、薄肉連結部１２２ｂは、前記線材被覆部１２２ａの直径より小さい肉厚の薄肉状となっており、金属線材２１の直径よりも小さい肉厚の薄肉状とされている。なお、被覆１２２の線材被覆部１２２ａの肉厚は、金属線材２１の直径より若干大きい程度で、例えば、約０．５未満または約１ｍｍ未満と極薄である。これに対応して、被覆１２２の薄肉連結部１２２ｂの肉厚は、例えば、約０．１〜０．５ｍｍと薄肉である。そして、薄肉連結部１２２ｂは、隣合う金属線材２１間の間隔を縮めるよう塑性変形した際、金属線材２１の塑性変形力により、当該縮められた金属線材２１間の間隔を維持するように容易に湾曲または屈曲し、前記帯状体の適宜箇所に幅狭部が形成されるようになっている。
【００３０】
図８は本発明の実施の形態３に係る配線・配管材の支持具の支持線材の使用時の状態を示し、（ａ）は支持線材によりケーブルを結束支持したときのケーブル外周面に対する支持線材の当接状態を従来例と比較して示す説明図、（ｂ）は支持線材を薄肉連結部で屈曲した状態を示す端面図、（ｃ）は支持線材の薄肉連結部を幅狭となるよう湾曲または屈曲した状態を示す平面図である。
実施の形態３に係る配線・配管材の支持具は、実施の形態１と同様にして被取着体に取着され、配線または配管材を支持線材１２０により結束して支持する。例えば、図８（ａ）に示すように、実施の形態３に係る配線・配管材の支持具により軟質樹脂を被覆したケーブルＣを結束支持する場合、支持線材１２０をケーブルＣの被覆外周面に巻き付けて結束することにより、支持線材１２０を介してケーブルＣを吊下支持等し、所定位置に保持することができる。このとき、支持線材１２０は、幅方向両端に線材被覆部１２２ａからなる突起部分を有し、それら２点の線材被覆部１２２ａ部分でケーブルＣの軟質樹脂被覆の表面に線状に当接する。したがって、実施の形態３に係る配線・配管材の支持具は、実施の形態１の対比説明で述べた従来例におけるような不具合が発生する可能性を大幅に低減することができる。なお、図８（ｂ）に示すように、薄肉連結部１２２ｂは、上記のように、容易に屈曲可能である。よって、図８（ｃ）に示すように、隣合う金属線材２１が間隔を縮めるよう塑性変形した際、薄肉連結部１２２ｂは、金属線材２１の塑性変形力により容易に湾曲または屈曲し、前記帯状体の適宜箇所に幅狭部Ｗが形成される。具体的には、支持線材１２０は、被覆１２２のうち、金属線材２１間の部分を、金属線材２１の直径より薄肉の帯状の薄肉連結部１２２ｂとしている。よって、ケーブルＣ等を結束支持すべく捻り合わされたときに、支持線材１２０では、捻り合わされた部分で、薄肉連結部１２２ｂが幅方向に圧縮され、隣合う金属線材２１間の間隔を縮める方向の変形を許容する。即ち、このとき、薄肉連結部１２２ｂが、金属線材２１の塑性変形を妨げることなく維持するように容易に湾曲または屈曲することにより、金属線材２１の塑性変形力により、当該縮められた金属線材２１間の間隔が維持され、前記帯状体である支持線材１２０の適宜箇所に幅狭部が形成され、その幅狭状態が維持される。したがって、支持線材１２０では、互いに捻り合された支持線材１２０の一端側部分と他端側部分とが互いに密に接触することになり、それらの間に生じる隙間を実質的になくすことができる。その結果、支持線材１２０の一端側部分が他端側部分から抜けてしまい、結束が解除されてしまうといった不具合を効果的に防止することができる。
【００３１】
図９は本発明の実施の形態３に係る配線・配管材の支持具の支持線材による結束状態を従来例と比較して示す説明図であり、（ａ）は従来例に係る配線・配管材の支持具の支持線材による結束状態、（ｂ）は実施の形態３に係る配線・配管材の支持具の支持線材による結束状態をそれぞれ示す。
実施の形態３に係る配線・配管材の支持具は、支持線材１２０をケーブルＣの被覆外周面に巻き付けた後、支持線材１２０の一端側部分と他端側部分とを互いに捩じり合わせて解けないよう結合することにより、支持線材１２０を介してケーブルＣを結束支持する。このとき、図９（ａ）に示すように、従来例の円形被覆バインド線１または帯状被覆バインド線５の場合、バインド線１またはバインド線５からなる支持線材により配線・配管材を結束支持するときに、結束部分で互いに捩じり合わされた支持線材の一端側部分と他端側部分との外周面間に隙間が生じ、支持線材の一端側部分が他端側部分から抜けてしまい、結束が解除されてしまう可能性がある。これに対し、実施の形態３に係る配線・配管材の支持具では、支持線材１２０は、被覆１２２のうち、金属線材２１間の部分を、非常に薄肉の薄肉連結部１２２ｂとしている。よって、このとき、支持線材１２０では、図９（ｂ）に示すように、捻り合わされた部分で、薄肉連結部１２２ｂが幅方向に圧縮される。即ち、上記のように、隣合う金属線材２１が間隔を縮めるよう変形すると共に、薄肉連結部１２２ｂが、当該縮められた間隔を維持するように容易に湾曲または屈曲することにより、帯状体である支持線材１２０の適宜箇所に幅狭部が形成され、金属線材２１の塑性変形力によりその幅狭状態が維持される。したがって、支持線材１２０では、互いに捻り合された支持線材１２０の一端側部分と他端側部分とが絞られて互いに密に接触することになり、それらの間に生じる隙間を実質的になくし、非常に緩みにくい構成とすることができる。その結果、支持線材１２０の一端側部分が他端側部分から抜けてしまい、結束が解除されてしまうといった不具合を非常に効果的に防止することができる。また、実施の形態３に係る配線・配管材の支持具は、実施の形態１に係る配線・配管材の支持具と比較して、支持線材１２０における金属線材２１間の被覆１２２部分が、より薄肉の薄肉連結部１２２ｂとなっているため、より安定して支持線材１２０による配線や配管材の結束支持を行うことができる。上記のように、実施の形態３に係る配線・配管材の支持具は、ケーブルＣ等の配線・配管材の外周面保護や安定支持等を効果的に行うことができる。
【００３２】
実施の形態４
図１０は本発明の実施の形態４に係る配線・配管材の支持具の支持線材によりケーブルを結束支持したときのケーブル外周面に対する支持線材の当接状態を従来例と比較して示す説明図である。
実施の形態４に係る配線・配管材の支持具は、図１０に示すように、支持線材２２０の構成において実施の形態１に係る配線・配管材の支持具と異なる。具体的には、実施の形態４に係る配線・配管材の支持具の支持線材２２０は、実施の形態１と同様、前記金属線材２１を並設した状態で、軟質合成樹脂材料により各金属線材２１の外周を被覆すると共に複数本の金属線材２１間を連結して一体化することにより、金属線材２１の並設方向に幅広となる帯状体として構成される。一方、実施の形態４に係る配線・配管材の支持具の支持線材２２０は、２本の金属線材２１を互いに平行に並設した状態で、軟質合成樹脂材料による被覆２２２中に埋設して配置している。詳細には、軟質合成樹脂材料の被覆２２２は、実施の形態１と同様の軟質合成樹脂材料からなり、各金属線材２１の外周を被覆する線材被覆部２２２ａと、線材被覆部２２２ａ間を連結する薄肉に形成された帯状の薄肉連結部２２２ｂとを有している。また、被覆２２２の線材被覆部２２２ａは、支持線材２２０としての帯状体の厚さ方向一側面側にのみ極小の断面略半円形状に突出し、被覆２２２の厚さ方向他側面は平坦面となっている。即ち、実施の形態４の支持線材２２０は、線材被覆部２２２ａを厚さ方向一側にのみ突出させることにより、厚さ方向他側面を平坦面とした帯状体として構成される。更に、薄肉連結部２２２ｂは、前記線材被覆部２２２ａの直径より小さい肉厚の薄肉状となっており、金属線材２１の直径よりも小さい肉厚の薄肉状とされている。そして、薄肉連結部２２２ｂは、実施の形態３におけると同様、隣合う金属線材２１間の間隔を縮めるよう塑性変形した際、金属線材２１の塑性変形力により、当該縮められた金属線材２１間の間隔を維持するように容易に湾曲または屈曲し、前記帯状体の適宜箇所に幅狭部が形成されるようになっている。
【００３３】
実施の形態４に係る配線・配管材の支持具は、実施の形態１と同様にして被取着体に取着され、配線または配管材を支持線材２２０により結束して支持する。例えば、図１０に示すように、実施の形態４に係る配線・配管材の支持具により軟質樹脂を被覆したケーブルＣを結束支持する場合、支持線材２２０をケーブルＣの被覆外周面に巻き付けて結束することにより、支持線材２２０を介してケーブルＣを吊下支持等し、所定位置に保持することができる。このとき、支持線材２２０は、幅方向両端の厚さ方向一側面に、線材被覆部２２２ａからなる突起部分を有するものの、厚さ方向他側面は平坦面としている。よって、被覆２２２の平坦面側をケーブルＣの軟質樹脂被覆に巻き付けて結束することにより、支持線材２２０がその平坦面でケーブルＣの表面に面状に当接することになる。したがって、実施の形態４に係る配線・配管材の支持具は、実施の形態１と同様、従来例におけるような不具合が発生する可能性を完全になくすことができる。
【００３４】
更に、実施の形態４に係る配線・配管材の支持具は、支持線材２２０をケーブルＣの被覆外周面に巻き付けた後、支持線材２２０の一端側部分と他端側部分とを互いに捩じり合わせて解けないよう結合することにより、支持線材２２０を介してケーブルＣを結束支持する。このとき、実施の形態３と同様、実施の形態４に係る配線・配管材の支持具では、支持線材２２０は、被覆２２２のうち、金属線材２１間の部分を、非常に薄肉の薄肉連結部１２２ｂとしている。よって、このとき、支持線材２２０では、捻り合わされた部分で、薄肉連結部２２２ｂが幅方向に圧縮され、隣合う金属線材２１が間隔を縮めるよう変形すると共に、薄肉連結部２２２ｂが当該縮められた間隔を維持するように容易に湾曲または屈曲する。これにより、帯状体である支持線材２２０の適宜箇所に幅狭部が形成され、その幅狭状態が維持される。したがって、支持線材２２０では、互いに捻り合された支持線材２２０の一端側部分と他端側部分とが絞られて互いに密に接触することになり、それらの間に生じる隙間を実質的になくし、非常に緩みにくい構成とすることができる。その結果、支持線材２２０の一端側部分が他端側部分から抜けてしまい、結束が解除されてしまうといった不具合を非常に効果的に防止することができる。また、実施の形態４に係る配線・配管材の支持具は、実施の形態３と同様、実施の形態１に係る配線・配管材の支持具と比較しても、支持線材１２０における金属線材２１間の被覆２２２部分が、より薄肉の薄肉連結部２２２ｂとなっているため、より安定して支持線材２２０による配線や配管材の結束支持を行うことができる。上記のように、実施の形態４に係る配線・配管材の支持具は、ケーブルＣ等の配線・配管材の外周面保護や安定支持等を効果的に行うことができる。
【００３５】
実施の形態５
図１１は本発明の実施の形態５に係る配線・配管材の支持具の支持線材を示す端面図である。
実施の形態５に係る配線・配管材の支持具は、図１１に示すように、支持線材３２０の構成において実施の形態１に係る配線・配管材の支持具と異なる。具体的には、支持線材３２０は、実施の形態３の支持線材１２０の被覆１２２の幅方向両端から、更に、薄肉の帯状部３２２ｃを延設した構成を有している。具体的には、実施の形態５では、支持線材３２０の被覆３２２は、実施の形態３の支持線材１２０の被覆１２２と同様、金属線材２１を被覆する２つの線材被覆部１２２ａ間を薄肉連結部１２２ｂにより連結している。一方、実施の形態５では、支持線材３２０の被覆３２２は、前記線材被覆部１２２ａよりも外側に、それぞれ、薄肉連結部１２２ｂより幅狭で薄肉連結部１２２ｂと同一肉厚の薄肉の帯状部３２２ｃを一体形成している。即ち、実施の形態３では、２本の金属線材２１は、被覆１２２の幅方向両端に配置されるのに対し、実施の形態５では、金属線材２１は、被覆３２２の幅方向両端より所定距離内側に配置される。
【００３６】
上記のように構成した実施の形態５に係る配線・配管材の支持具も、実施の形態３に係る配線・配管材の支持具と同様に使用することができ、同様の作用及び効果を発揮する。
【００３７】
実施の形態６
図１２は本発明の実施の形態６に係る配線・配管材の支持具の支持線材を示す端面図である。
実施の形態６に係る配線・配管材の支持具は、図１２に示すように、支持線材３２０の構成において実施の形態１に係る配線・配管材の支持具と異なる。具体的には、実施の形態６に係る配線・配管材の支持具の支持線材４２０は、実施の形態１と同様、前記金属線材２１を並設した状態で、軟質合成樹脂材料により各金属線材２１の外周を被覆すると共に複数本の金属線材２１間を連結して一体化することにより、金属線材２１の並設方向に幅広となる帯状体として構成される。一方、実施の形態６に係る配線・配管材の支持具の支持線材４２０は、２本の金属線材２１を互いに平行に並設した状態で、軟質合成樹脂材料による被覆４２２中に埋設して配置している。詳細には、軟質合成樹脂材料の被覆４２２は、実施の形態１と同様の軟質合成樹脂材料からなり、各金属線材２１の外周を被覆する線材被覆部４２２ａと、線材被覆部４２２ａ間を連結する薄肉に形成された帯状の薄肉連結部４２２ｂとを有している。また、被覆４２２は、実施の形態５と同様、２つの線材被覆部４２２ａよりも外側に、それぞれ、前記薄肉連結部４２２ｂより幅狭で薄肉連結部４２２ｂと同一肉厚の帯状部４２２ｃを一体形成している。更に、線材被覆部４２２ａは、金属線材２１の断面形状に対応して、帯状体からなる支持線材４２０の厚さ方向両側面から、それぞれ、極小の略半円形状に突出している。また、薄肉連結部４２２ｂは、前記線材被覆部４２２ａの直径より小さい肉厚の薄肉状となっており、金属線材２１の直径よりも小さい肉厚の薄肉状とすることも可能である。そして、薄肉連結部４２２ｂは、隣合う金属線材２１をその間隔を縮めるよう塑性変形した際、上記実施の形態３の薄肉連結部１２２ｂと同様、当該縮められた間隔を維持するように容易に湾曲または屈曲するため、前記帯状体の適宜箇所に幅狭部が形成されるようになっている。加えて、実施の形態６では、帯状体としての支持線材４２０は、軟質合成樹脂材料の帯状の被覆４２２において、隣合う金属線材２１間の幅方向略中央に、長さ方向に延びる切断溝４２３を形成し、切断溝４２３部分で複数の幅狭な帯状体に容易に分割可能となっている。切断溝４２３は、例えば、被覆４２２の厚さ方向一側面または両側面にノッチ状または断面略三角形状等の凹溝を形成して構成することができるが、被覆４２２を切断して分割可能な限りにおいて、任意の構成とすることができる。なお、かかる切断溝４２３は、実施の形態１〜５に係る配線・配管材支持具の支持線材２０，１２０，２２０，３２０の被覆１２２，２２２，３２２に設け、支持線材２０，１２０，２２０，３２０を必要に応じて金属線材２１間で容易に切断自在とすることもできる。或いは、実施の形態３〜５に係る配線・配管材支持具では、支持線材１２０，２２０，３２０の被覆１２２，２２２，３２２の薄肉連結部１２２ｂ，２２２ｂは非常に薄肉であるため、特に切断溝４２３を設けなくても、必要に応じて金属線材２１乃至線材被覆部１２２ａ，２２２ａ間で薄肉連結部１２２ｂ，２２２ｂを切断または裂断して、支持線材１２０，２２０，３２０を分割することが可能である。
【００３８】
実施の形態６に係る配線・配管材の支持具は、実施の形態１〜４に係る配線・配管材の支持具と同様にして使用され、同様の作用及び効果を発揮する。加えて、実施の形態６に係る配線・配管材の支持具は、例えば、現場施工時に、切断溝４２３で２つに分割して使用することができ、配線や配管材の結束作業を必要に応じて柔軟な態様で行うことができる。
【００３９】
ところで、本発明に係る配線・配管材の支持具では、支持線材は、３本以上の金属線材を並設して軟質合成樹脂材料の被覆中に埋設することもできる。この場合、実施の形態６のように支持線材の被覆に切断溝を設ける場合、隣合う金属線材間の中央に切断溝を設けることが好ましい。
【００４０】
また、本発明に係る配線・配管材の支持具では、取着部は任意の構成とすることができるが、実施の形態１のデッキプレート用取着部のように、厚さ方向に穿設した取付孔に支持線材を挿通して取付ける場合、本発明の支持線材は、上記各実施の形態で述べたように帯状体として構成されるため、取付孔への挿通作業を効率よく行うことができると共に、取付後の取着部に対する取付状態の安定性を向上することができる。
【図面の簡単な説明】
【００４１】
【図１】図１は本発明の実施の形態１に係る配線・配管材の支持具を示す斜視図である。
【図２】図２は本発明の実施の形態１に係る配線・配管材の支持具を示す正面図である。
【図３】図３は本発明の実施の形態１に係る配線・配管材の支持具の取着部を示す平面図である。
【図４】図４は本発明の実施の形態１に係る配線・配管材の支持具の支持線材の一部を示す斜視図である。
【図５】図５は本発明の実施の形態１に係る配線・配管材の支持具の支持線材によりケーブルを結束支持したときのケーブル外周面に対する支持線材の当接状態を従来例と比較して示す説明図である。
【図６】図６は本発明の実施の形態２に係る配線・配管材の支持具による配線・配管材の支持状態を示す斜視図である。
【図７】図７は本発明の実施の形態３に係る配線・配管材の支持具の支持線材の一部を示す斜視図である。
【図８】図８は本発明の実施の形態３に係る配線・配管材の支持具の支持線材の使用時の状態を示し、（ａ）は支持線材によりケーブルを結束支持したときのケーブル外周面に対する支持線材の当接状態を従来例と比較して示す説明図、（ｂ）は支持線材を薄肉連結部で屈曲した状態を示す端面図、（ｃ）は支持線材の薄肉連結部を幅狭となるよう湾曲または屈曲した状態を示す平面図である。
【図９】図９は本発明の実施の形態３に係る配線・配管材の支持具の支持線材による結束状態を従来例と比較して示す説明図であり、（ａ）は従来例に係る配線・配管材の支持具の支持線材による結束状態、（b）は実施の形態３に係る配線・配管材の支持具の支持線材による結束状態をそれぞれ示す。
【図１０】図１０は本発明の実施の形態４に係る配線・配管材の支持具の支持線材によりケーブルを結束支持したときのケーブル外周面に対する支持線材の当接状態を従来例と比較して示す説明図である。
【図１１】図１１は本発明の実施の形態５に係る配線・配管材の支持具の支持線材によりケーブルを結束支持したときのケーブル外周面に対する支持線材の当接状態を従来例と比較して示す説明図である。
【図１２】図１２は本発明の実施の形態６に係る配線・配管材の支持具の支持線材を示す端面図である。
【符号の説明】
【００４２】
１０：取着部、２０：支持線材、２１：金属線材、２２：被覆
１２０：支持線材、１２２：被覆、１２２ａ：線材被覆部、１２２ｂ：薄肉連結部
２２０：支持線材、２２２：被覆、２２２ａ：線材被覆部、２２２ｂ：薄肉連結部
３２０：支持線材、３２２：被覆
４２０：支持線材、４２２：被覆、４２２ａ：線材被覆部、４２２ｂ：薄肉連結部
４２３：切断溝、Ｗ：幅狭部
【図１】
2006194387.tif 000003
【図２】
2006194387.tif 000004
【図３】
2006194387.tif 000005
【図４】
2006194387.tif 000006
【図５】
2006194387.tif 000007
【図６】
2006194387.tif 000008
【図７】
2006194387.tif 000009
【図８】
2006194387.tif 000010
【図９】
2006194387.tif 000011
【図１０】
2006194387.tif 000012
【図１１】
2006194387.tif 000013
【図１２】
2006194387.tif 000014